(57)【要約】【課題】ＰＥＴ容器に別途の取っ手を固定結合し、容器の注入口を広く形成することで、多量の粘性製品又は液状製品を入れて便利に使用することができる、取っ手を備えた広口ＰＥＴ容器を提供する。【解決手段】上部に開口部が形成され、一側に凹込部が形成され、前記開口部の下端に挿入溝が形成されたＰＥＴ容器；及び取っ手部、及び前記取っ手部の上側から延設され、突出片を有する環状嵌合部が形成された取っ手；を含み、前記環状嵌合部の突出片が前記開口部の下側挿入溝に挿入されることにより、取っ手が固定結合される。【選択図】図１
2008037505.tif 000002
【特許請求の範囲】
【請求項１】
上部に開口部が形成され、一側に凹込部が形成され、前記開口部の下端に挿入溝が形成されたＰＥＴ容器；及び
取っ手部、及び前記取っ手部の上側から延設され、突出片を有する環状嵌合部が形成された取っ手；を含み、
前記環状嵌合部の突出片が前記開口部の下側挿入溝に挿入されることにより、取っ手が固定結合されることを特徴とする、取っ手を備えた広口ＰＥＴ容器。
【請求項２】
前記ＰＥＴ容器の開口部に結合可能であり、内側にはパッキング挿入空間が形成され、外側には縦線状の波模様が形成されたキャップをさらに含むことを特徴とする、請求項１に記載の取っ手を備えた広口ＰＥＴ容器。
【請求項３】
前記開口部の直径は３５φ〜５３φであることを特徴とする、請求項１又は２に記載の取っ手を備えた広口ＰＥＴ容器。
【請求項４】
前記ＰＥＴ容器の上端部及び下端部には横線状パネルが形成され、中間部には斜線状パネルが形成され、凹込部には縦線楕円状パネルが形成されることを特徴とする、請求項１又は２に記載の取っ手を備えた広口ＰＥＴ容器。
【発明の詳細な説明】
【技術分野】
【０００１】
本発明は取っ手を備えたＰＥＴ容器に係り、より詳しくはＰＥＴ容器に水飴、唐辛子味噌、薬味醤油などの粘性製品、又は醤油、食酢などの液状製品を入れる場合、使用者が便利に使えるように、別途の取っ手が取り付けられ、容器の注入口が広く形成された、取っ手を備えた広口ＰＥＴ容器に関するものである。
【背景技術】
【０００２】
一般に、ＰＥＴ（Polyethylene Terephthalate）容器は、軽くて割れにくい特性のため、飲み物のような液状製品を入れる使い捨て瓶として多く使用されている。
しかし、従来のＰＥＴ容器は、運搬できるようにする取っ手が備えられていないから、粘性製品又は液状製品を大量で収容する場合、容器を使用するのが不便であるという欠点がある。
【０００３】
これを解決するために、取っ手を一体的に形成させる方法があるが、薄い厚さのため、一体に形成された取っ手が容器の重さを充分に支えることができなく、取っ手を一体的に形成するための金型費など、製造費が高くかかるという問題点がある。
そのうえ、別途の取っ手を製作して容器に結合させる場合、取っ手が抜け出やすい問題点がある。
一方、従来のＰＥＴ容器は、注入口が２８φないし最大３５φ程度小さく形成されている。注入口の大きさが小さいほど、収容可能な内容物の容量も制限されるから、多量の粘性製品又は液状製品を収容するのには不便さがある。
【発明の開示】
【発明が解決しようとする課題】
【０００４】
したがって、本発明は前記のような問題点に鑑みてなされたもので、本発明は、ＰＥＴ容器に別途の取っ手を固定結合し、容器の注入口を広く形成することにより、多量の粘性製品又は液状製品を入れて便利に使用することができる、取っ手を備えた広口ＰＥＴ容器を提供することにその目的がある。
【課題を解決するための手段】
【０００５】
前記目的を達成するための本発明による取っ手を備えた広口ＰＥＴ容器は、上部に開口部が形成され、一側に凹込部が形成され、前記開口部の下端に挿入溝が形成されたＰＥＴ容器；及び取っ手部、及び前記取っ手部の上側から延設され、突出片を有する環状嵌合部が形成された取っ手；を含み、前記環状嵌合部の突出片が前記開口部の下側挿入溝に挿入されることにより、取っ手が固定結合されることを特徴とする。
【０００６】
また、本発明の取っ手を備えた広口ＰＥＴ容器は、前記ＰＥＴ容器の開口部に結合可能であり、内側にはパッキング挿入空間が形成され、外側には縦線状の波模様が形成されたキャップをさらに含むことができる。
また、本発明の取っ手を備えた広口ＰＥＴ容器は、前記開口部の直径が３５φ〜５３φであり、前記ＰＥＴ容器の上端部及び下端部には横線状パネルが形成され、中間部には斜線状パネルが形成され、凹込部には縦線楕円状パネルが形成されることができる。
【発明の効果】
【０００７】
以上説明したように、本発明による取っ手を備えた広口ＰＥＴ容器によれば、使用者がＰＥＴ容器に水飴、唐辛子味噌、薬味醤油などの粘性製品、又は醤油、食酢などの液状製品を入れて使用する場合、容器の注入口が広く形成されているので、多量の内容物を保管及び使用することができ、別途の取っ手が備えられているので、便利に容器を取り扱うことができる効果がある。
【発明を実施するための最良の形態】
【０００８】
本発明の前記のような目的、特徴及び他の利点は、添付図面に基づく本発明の好ましい実施例の説明からより明らかになろう。
以下、添付図面に基づいて、本発明の好ましい実施例による取っ手を備えたＰＥＴ容器を詳細に説明する。
図１は本発明の実施例による、取っ手を備えた広口ＰＥＴ容器の全体構成図で、図示のように、ＰＥＴ容器１００、取っ手２００、及びキャップ３００を含む。
また、図５及び図６は、前記ＰＥＴ容器１００、取っ手２００、及びキャップ３００が結合された形状を示す側面図である。
ＰＥＴ容器１００は、上部に開口部１１０が形成され、前記開口部１１０を通じて内容物を注入させるか流出させることができる。前記開口部１１０の外周面には、キャップ３００が螺合できるように、ネジ案内溝１４０が形成されている。
前記開口部１１０の直径は３５φ〜５３φの大きさに形成され、望ましくは５３φの直径を有することが有利である。しかし、これに限定されるものではなく、用途によって多様に応用可能である。
【０００９】
ＰＥＴ容器を製作するに際して、取っ手を含めなくて広口の容器を製作することは、プリフォームの設計及び容器の成形が容易にできるが、取っ手を含めて広口の容器を成形することは易しくない。本発明の実施例において、前記開口部１１０の大きさを５３φに設計した理由も、それ以上の大きさは生産が不可能であるからである。
既存に使用されたＰＥＴ容器の注入口の大きさが２８φないし最大３５φの狭口容器であったが、本発明の実施例によるＰＥＴ容器は、前記開口部１１０が５３φの直径に広く形成されるので、水飴、薬味醤油、唐辛子味噌のような粘性製品を使用するか、醤油、食酢のような液状製品を大容量で使用する使用者に便利性を付与するので、非常に効率的である。
また、前記ＰＥＴ容器１００は、一側に凹込部１２０が形成される。前記凹込部１２０は、取っ手２００が結合されたとき、使用者が取っ手を握ることができるように、一定の空間を提供することになる。
【００１０】
一方、前記開口部１１０の下端には挿入溝１３０が形成され、前記取っ手２００が結合されたとき、前記取っ手を支持することができるようにする。すなわち、前記取っ手２００の内部に形成された所定の突出片２３０が前記挿入溝１３０に挿入されることにより、前記取っ手２００が支持される。
ＰＥＴ容器１００の胴部は、上端部４１０、中間部４２０、及び下端部４３０に分けられる。ここで、耐圧及び耐熱を考慮して、上端部４１０及び下端部４３０には横線状パネルが形成され、中間部４２０には斜線状パネルが形成される。また、凹込部１２０には、縦線楕円状パネル４４０（図６参照）が形成される。
【００１１】
一般に、容器を設計するとき、耐圧及び耐熱を考慮して、容器にパネルを形成する。パネルの形態は多様に形成することができるが、本発明の実施例においては、取っ手が別に付着されているので、重さ中心を考慮して、上端部４１０には横線状のパネルを形成し、熱又は圧力に最も脆弱な中間部４２０には斜線状パネルを形成した。また、下端部４３０は、ラベリングのために、ラベルの大きさだけ内側に縮小した横線状パネルを使用し、取っ手２００の内側部分、すなわち前記凹込部１２０には縦線楕円状パネル４４０を使用することにより、横縦の均衡をなすように設計した。
キャップ３００は、前記ＰＥＴ容器１００の開口部１１０の外周面に螺合される。
前記ＰＥＴ容器１００は、ダイレクトブロー、インジェクションブロー、又は延伸ブローなどのブロー（Ｂｌｏｗ）成形により製造され、前記取っ手２００は、ポリプロピレン（Ｐｏｌｙｐｒｏｐｙｌｅｎｅ）のような堅固な樹脂から射出された後、前記ＰＥＴ容器１００に組み立てられる。
【００１２】
以下、図２〜図４に基づいて、取っ手２００及びキャップ３００をより具体的に説明する。
図２及び図３を参照すれば、取っ手２００は、取っ手部２１０、環状嵌合部２２０及び突出片２３０を含む。
前記環状嵌合部２２０は取っ手部２１０の上端から延設され、ＰＥＴ容器１００（図１参照）に結合されたとき、ＰＥＴ容器１００の開口部１１０（図１参照）の下側に押し下げられ、前記ＰＥＴ容器１００の胴体に嵌合される。
すなわち、前記環状嵌合部２２０の内部面に形成された突出片２３０がＰＥＴ容器１００の挿入溝１３０（図１参照）に挿入されるので、前記取っ手２００がＰＥＴ容器１００の一定部分に固定される。
【００１３】
前記突出片２３０は前記環状嵌合部２２０の内部面に複数に形成できるが、前記取っ手２００と前記ＰＥＴ容器１００を結合させるとき、不良が発生することを防止するために、取っ手部２１０が位置する側面２３１及びその反対側面２３２に二つが形成されることが好ましい。この際、前記突出片２３０が挿入される挿入溝１３０も同一方向に二つが形成されなければならないのは当然である。
前記のような取っ手２００がＰＥＴ容器１００に結合されれば、環状嵌合部２２０がＰＥＴ容器１００の胴体を取り囲んでおり、挿入溝１３０と突出片２３０が結合されるので、取っ手２００がなかなか抜けなくてＰＥＴ容器１００に固定される利点がある。
図４を参照すれば、キャップ３００は、内側にパッキング挿入空間３１０が形成され、外側に縦線状の波模様３２０が形成される。
【００１４】
前記キャップ３００は、前記ＰＥＴ容器１００（図１参照）の開口部１１０（図１参照）と螺合できるように、内部にネジ溝３３０が形成されている。
前記パッキング挿入空間３１０は、食品の包装に利用する場合、内部パッキングを収容するための空間であり、０．７ｍｍの余裕空間を備えることが好ましい。
前記縦線状の波模様３２０は熱に対する収縮程度を減らすためのもので、キャップ３００の表面より内部に陷沒した多数の凹溝で構成される。
前記キャップ３００の直径は、ＰＥＴ容器１００の開口部１１０に対応するように、３５φ〜５３φであることが好ましいが、これに限定されるものではなく、前記ＰＥＴ容器１００の開口部１１０と結合可能な範囲内で、設計者の意図に応じて多様に応用可能であるのはもちろんである。
【００１５】
以上、本発明の好ましい実施例について説明したが、本発明は前述した特定の実施例に限定されない。すなわち、本発明が属する技術分野で通常の知識を有する者であれば、特許請求範囲の思想及び範疇を逸脱しないで、本発明に対する多数の変更及び修正が可能であり、そのようなすべての適切な変更及び修正なども本発明の範囲に属するものと見なされなければならない。
【産業上の利用可能性】
【００１６】
本発明は、ＰＥＴ容器に別途の取っ手を固定結合し、容器の注入口を広く形成することにより、多量の粘性製品又は液状製品を入れて便利に使用することができる、取っ手を備えた広口ＰＥＴ容器に適用可能である。
【図面の簡単な説明】
【００１７】
【図１】本発明の実施例による取っ手を備えた広口ＰＥＴ容器の分解斜視図である。
【図２】図１の取っ手の平面図である。
【図３】図２の取っ手のIII-III線についての断面図である。
【図４】図１のキャップを説明するための一部切欠斜視図である。
【図５】図１の取っ手及びキャップが結合された状態を示す側面図である。
【図６】図５の取っ手及びキャップが結合された状態を他の方向から示す側面図である。
【符号の説明】
【００１８】
１００    ＰＥＴ容器
１１０    開口部
１２０    凹込部
１３０    挿入溝
１４０    ネジ案内溝
２００    取っ手
２１０    取っ手部
２２０    環状嵌合部
２３０    突出片
３００    キャップ
３１０    パッキング挿入空間
３２０    縦線波文様
３３０    ネジ溝
４１０    上端部
４２０    中間部
４３０    下端部
４４０    縦線楕円状パネル
【図１】
2008037505.tif 000003
【図２】
2008037505.tif 000004
【図３】
2008037505.tif 000005
【図４】
2008037505.tif 000006
【図５】
2008037505.tif 000007
【図６】
2008037505.tif 000008